(57)【要約】【課題】  カバーをケース本体に当接させた後は、ネジの螺入操作をするだけで、カバーの複数箇所をケース本体に係止させて固定でき、少ないネジ止めでカバーの堅牢な固定を可能とする。【解決手段】  カバー１３に設けた係止爪１４とケース蓋体１２に設けた係止凹部１５とは、閉操作したカバー１３を前方にスライド操作することで互いに係止し、カバー１３を蝶着するケース蓋体１２の軸受部７は、係合しているカバー１３の蝶着軸１３ｂを前後方向に移動可能とする空間を有している。ケース蓋体１２には、係止爪１４と係止凹部１５とが係止した状態でカバー１３をネジ止めするためのネジ孔１６を具備し、ネジ孔１６の表面はネジ８の先端をネジ孔１６に誘導するための誘導溝１７が設けられ、カバー１３を介したネジ８の螺入操作により、ネジ８の先端が誘導溝１７内を移動してネジ孔１６に嵌合し、係止爪１４が係止凹部１５に係止する。【選択図】  図１０
2015002155.tif 000002
【特許請求の範囲】
【請求項１】
ケース本体上部に付属装置を収納するために凹設された収納部を備え、前記収納部を塞ぐカバーが前記ケース本体上面に蝶着されて成るケース内に、電路を遮断する遮断機構が収納され、ケース本体の背面に電源側端子、前面に負荷側端子を配置した回路遮断器において、
前記カバーには前記ケース本体に係止する複数の係止爪が設けられる一方、対応する前記ケース本体には前記係止爪を係止する複数の係止凹部が設けられ、
前記係止爪と前記係止凹部とは、閉操作した前記カバーを所定の前後方向にスライド操作することで互いに係止し、前記カバーを蝶着する前記ケース本体の軸受部は、係合している前記カバーの蝶着軸を前後方向に移動可能とする空間を有し、
更に、前記ケース本体には前記係止爪と前記係止凹部とが係止した状態で前記カバーをネジ止めするためのネジ孔を具備し、当該ネジ孔の表面はネジの先端を前記ネジ孔に誘導するための誘導溝が設けられ、
前記カバーを介したネジの螺入操作により、ネジの先端が前記誘導溝内を移動してネジ孔に嵌合することで、前記カバーもスライドして前記係止爪が前記係止凹部に係止することを特徴とする回路遮断器。
【発明の詳細な説明】
【技術分野】
【０００１】
本発明は回路遮断器に関し、詳しくは警報スイッチ、補助スイッチ等の付属装置を装着可能とした回路遮断器に関する。
【背景技術】
【０００２】
従来より、警報スイッチ、補助スイッチ等の付属装置を装着可能とした回路遮断器がある。このような回路遮断器のケースは、接点部、開閉機構部、過電流検知部材等が収納され、更に上部に付属装置収納部が凹設されたケース本体と、付属装置収納部を閉塞するカバーとで構成されるのが一般的である。
そして、ケースの一方の面に電源側端子、他方の面に負荷側端子が配置され、カバーから突出するように或いはカバーに隣接して電路を開閉操作する操作ハンドルが配置されている。
【０００３】
このようにカバーを備えた回路遮断器は、カバーを開閉し易く構成される一方で遮断動作時に発生するアークガスの圧力によりカバーが飛ばされることがないよう閉じた状態を堅牢に保つ構成が要求される。そのため、特許文献１に開示されているように、カバーに複数の係止爪を設けて、閉じたカバーをケース本体に係止させることでロック状態を形成し、アークガスの圧力により開放されないよう構成したり、特許文献２に開示されているように、カバーをケース本体にネジ止めした。
【先行技術文献】
【特許文献】
【０００４】
【特許文献１】特表２０１１−５０７１７６号公報
【特許文献２】特開平６−１３９９００号公報
【発明の概要】
【発明が解決しようとする課題】
【０００５】
上記従来の構成の場合、係止構造を備えたものはケース本体に蝶着されているカバーを回動閉操作した後、スライドさせてカバーの複数箇所を係止させてロック状態を生成して、アークガスの圧力に耐えうる構造を得ることができたが、係止操作を怠る場合があり、そのような場合は係止構造が意味を成さなかった。この点を鑑みて、カバーの閉操作のみでカバーがケース本体に係止するよう構成することは可能であるが、この場合カバーを開操作する際に面倒な係止解除操作が発生するため採用するのは難しく、簡易なスライド操作で係止解除できる従来の構成が好ましい。
また、カバーをネジ止めする構成は、カバーが比較的大きい場合は多数箇所をネジ止めしなければ、発生するアークガスの圧力に耐えられずカバーが外れる可能性があった。
【０００６】
そこで、本発明はこのような問題点に鑑み、カバーをケース本体に当接させた後は、ネジの螺入操作をするだけで、スライド操作すること無くカバーの複数箇所をケース本体に係止させて固定することができ、少ないネジ止めでカバーを堅牢に固定できる回路遮断器を提供することを目的としている。
【課題を解決するための手段】
【０００７】
上記課題を解決する為に、請求項１の発明は、ケース本体上部に付属装置を収納するために凹設された収納部を備え、前記収納部を塞ぐカバーが前記ケース本体上面に蝶着されて成るケース内に、電路を遮断する遮断機構が収納され、ケース本体の背面に電源側端子、前面に負荷側端子を配置した回路遮断器において、前記カバーには前記ケース本体に係止する複数の係止爪が設けられる一方、対応する前記ケース本体には前記係止爪を係止する複数の係止凹部が設けられ、前記係止爪と前記係止凹部とは、閉操作した前記カバーを所定の前後方向にスライド操作することで互いに係止し、前記カバーを蝶着する前記ケース本体の軸受部は、係合している前記カバーの蝶着軸を前後方向に移動可能とする空間を有し、更に、前記ケース本体には前記係止爪と前記係止凹部とが係止した状態で前記カバーをネジ止めするためのネジ孔を具備し、当該ネジ孔の表面はネジの先端を前記ネジ孔に誘導するための誘導溝が設けられ、前記カバーを介したネジの螺入操作により、ネジの先端が前記誘導溝内を移動してネジ孔に嵌合することで、前記カバーもスライドして前記係止爪が前記係止凹部に係止することを特徴とする。
【発明の効果】
【０００８】
本発明によれば、カバーを閉操作しただけでケース本体のネジ孔にカバーのネジ止め部が一致していなくても、誘導溝の作用によりネジがネジ孔に移動してネジ締めを行うことができる。そして、ネジ締め操作によりカバーもスライドしてカバーがケース本体に係止する。即ち、ネジの螺入操作をするだけで、スライド操作すること無くカバーの複数箇所をケース本体に係止させて固定することができる。よって、少ないネジ止めでカバーを堅牢に固定できる。
【図面の簡単な説明】
【０００９】
【図１】本発明に係る回路遮断器の一例を示し、（ａ）は平面図、（ｂ）は左側面図である。
【図２】カバー単体を示し、（ａ）は平面図、（ｂ）は側面図である。
【図３】カバーを下方から見た斜視図である。
【図４】ケース蓋体の斜視図である。
【図５】ケース蓋体の平面図である。
【図６】Ｈ−Ｈ線断面図である。
【図７】Ａ−Ａ線断面図を示し、（ａ）は全体、（ｂ）はＳ１部の拡大図、（ｃ）はＳ２部の拡大図である。
【図８】Ｂ−Ｂ線断面図を示し、（ａ）は全体、（ｂ）はＳ３部の拡大図である。
【図９】Ｃ−Ｃ線断面図を示し、（ａ）は全体、（ｂ）はＳ４部の拡大図である。
【図１０】カバーが係止される前の状態のＡ−Ａ線断面図を示し、（ａ）は全体、（ｂ）はＳ５部の拡大図、（ｃ）はＳ６部の拡大図である。
【図１１】カバーが係止される前の状態のＢ−Ｂ線断面図であり、（ａ）は全体、（ｂ）はＳ７部拡大図である。
【図１２】カバーが係止される前の状態のＣ−Ｃ線断面図である。
【図１３】回路遮断器の他の形態を示す平面図である。
【図１４】図１３のケース蓋体の平面図である。
【発明を実施するための形態】
【００１０】
以下、本発明を具体化した実施の形態を、図面を参照して詳細に説明する。図１は本発明に係る回路遮断器の一例を示し、（ａ）は平面図、（ｂ）は左側面図である。１は電源側端子、２は負荷側端子、３は電源側端子１と負荷側端子２との間の電路を開閉操作する操作ハンドル、４は端子を構成するネジであり、電源側端子１と負荷側端子２はケース１０の対向面に配置され、操作ハンドル３はケース１０の上面に配置されている。
ケース１０は、ケース基体１１とケース蓋体１２から成るケース本体１０ａと、カバー１３とで構成され、図１はカバー１３をケース本体１０ａに係止させてネジ８により固定した状態を示している。遮断器を構成する過電流検知部、開閉接点、開閉機構等の遮断機構はケース本体１０ａ内に収納されている。
尚、説明の都合上、電源側端子１の配置面をケース１０の背面、負荷側端子２の配置面をケース１０の前面として説明する。また、ネジ８による固定は２箇所実施されるが、図１では１箇所のみネジ止めされている。
【００１１】
図２、図３は、カバー１３単体を示し、図２（ａ）は平面図、図２（ｂ）は左側面図、図３は下方から見た斜視図である。１３ａはケース基体１１に組み付けられた操作ハンドル３を露出させるための開口部、１３ｂはケース蓋体１２に蝶着するための蝶着軸であり左右に突設されている。この蝶着軸１３ｂがケース蓋体１２の負荷側端子２近傍に回動可能に枢着されて蝶着部を形成し、カバー１３の回動操作によりケース蓋体１２の上面を開閉可能としている。また、１３ｅはカバー１３をケース本体１０ａにネジ止めするためのネジ挿通孔、５は付属装置収納部（図４に示す）６の上部を塞ぐ蓋部であり、付属装置収納部６を操作ハンドル３の左右２箇所に設けた場合を示している。
【００１２】
また図３において、１４（１４ａ〜１４ｃ）はケース蓋体１２に係止する係止爪である。具体的に、１４ａは開放端部の左右に設けられ、閉じた際に電源側端子１近傍に係止する第１係止爪、１４ｂは蝶着軸１３ｂ近傍に設けられた傾斜面から成る係止部を備えた一対の第２係止爪、１４ｃは左右の蝶着軸１３ｂ，１３ｂの近傍で左右方向に延設された第３係止爪であり、係止爪１４はカバーの５箇所に設けられている。
【００１３】
図４〜図６はケース蓋体１２を示し、図４は斜視図、図５は平面図、図６はＨ−Ｈ線断面図を示している。各図において、６は付属装置収納部、７は蝶着軸１３ｂが挿入される軸受部、１２ａは操作ハンドル挿通孔、１５（１５ａ〜１５ｃ）はカバー１３の係止爪１４を係止する係止凹部、１６はネジ８を螺入するネジ孔、１７はネジ孔１７の表面に形成された誘導溝であり、ネジ孔１６は左右に一対設けられている。
【００１４】
具体的に、係止凹部１５は、電源側端子１近傍の左右端部に形成されて第１係止爪１４ａが係止する第１係止凹部１５ａ、負荷側端子２近傍に形成されて第２係止爪１４ｂが係止する一対の第２係止凹部１５ｂ、左右の軸受部７の間に左右方向に延設されて第３係止爪１４ｃが係止する第３係止凹部１５ｃにより構成されている。
また、誘導溝１７はネジ孔１６周囲から後方に長い長円形で凹設形成され、図６に示すようにその底部はネジ孔１６に向けて下り傾斜を有している。
【００１５】
図７〜図９は図１状態の回路遮断器の断面図を示し、図７はＡ−Ａ線断面図、図８はＢ−Ｂ線断面図、図９はＣ−Ｃ線断面図を示している。図７（ｂ）のＳ１部の拡大図、図７（ｃ）のＳ２部の拡大図に示すように、付属装置収納部６を閉塞したカバー１３の開放端部は、ネジ８によりケース蓋体１２にネジ止めされ、即ちケース本体１０ａにネジ止めされて固着される。この状態で第３係止爪１４ｃは第３係止凹部１５ｃに係止している。
そして、図８（ｂ）のＳ３部の拡大図に示すように、第１係止爪１４ａは第１係止凹部１５ａに係止し、図９（ｂ）のＳ４部拡大図に示すように、第２係止爪１４ｂも第２係止凹部１５ｂに係止している。
【００１６】
このように構成された回路遮断器において、閉じたカバー１３をネジ締めする際の作用を以下説明する。図１０〜１２は、カバー１３を回動閉操作してケース本体１０ａに当接させただけで、係止爪１４が係止凹部１５に係止していない状態を示し、この図を参照して説明する。図１０はＡ−Ａ線断面図、図１１はＢ−Ｂ線断面図、図１２はＣ−Ｃ線断面図を示し、上記図７〜図９に対応させている。
カバー１３を回動閉操作した直後は、図１０〜図１２に示すように、何れの係止爪１４も係止状態にない。そして、この状態では、図１０（ｂ）のＳ５部の拡大図に示すように、カバー１３のネジ挿通孔１３ｅとケース蓋体１２に設けられているネジ孔１６は一致していないため、ネジ８を挿入しても誘導溝１７に当接してネジ孔１６には嵌合しない。
【００１７】
しかし、この状態でネジ８のネジ締め操作を実施すると、ネジ孔１６周囲に傾斜形成された導入溝１７の作用で、ネジ８の先端が図１０（ｂ）の矢印Ｗに示す方向に移動する。即ち、カバー１３のネジ挿通孔１３ｅがネジ孔１６に近づく。やがてネジ孔１６に嵌合して螺入が実施される。このネジ８の移動によりカバー１３は前方に移動して、個々の係止爪１４は対応する係止凹部１５に入り込んで係止する。
そして、ネジ締め操作によりネジ８がネジ孔１６に螺入され、カバー１３はケース蓋体１２に密着する。この状態が図７〜図９に示した状態である。
【００１８】
このように、カバー１３を回動閉操作しただけでケース蓋体１２のネジ孔１６にカバー１３のネジ挿通孔１３ｅが一致していなくても、誘導溝１７の作用によりネジ８がネジ孔１６に移動してネジ締めを行うことができる。そして、ネジ締め操作によりカバー１３もスライドしてカバー１３がケース本体１０ａに係止する。即ち、ネジ８の螺入操作をするだけで、スライド操作すること無くカバー１３の複数箇所をケース本体１０ａに係止させて固定することができる。よって、少ないネジ止めでカバー１３を堅牢に固定できる。
また、係止したカバー１３は、閉塞時とは逆方向にスライドすれば係止を容易に解除でき、スムーズに開操作できる。
【００１９】
以上は、操作ハンドル３の左右２箇所に付属装置収納部６を設けた構成を説明したが、付属装置収納部６を１箇所のみ設けた回路遮断器に対しても本願発明は好適である。
図１３、図１４は付属装置収納部６を１箇所のみ設けた回路遮断器の一例を示し、図１３は回路遮断器の平面図、図１４はケース蓋体１１２の平面図である。尚、上記形態と同様に、回路遮断器は図示しないケース基体とケース蓋体１１２とカバー１１３とで構成され、同一の構成要素には同一に符号を付与している。また、図１３においてカバー１１３は明確にするためハッチングを施してある。
【００２０】
図１４に示すように、ケース蓋体１１２の負荷側端子２の近傍には、カバー１１３の軸受部７が設けられ、電源側端子１の近傍にはカバー１１３を固着するための１つのネジ孔１６が設けられている。そして、ネジ孔１６の表面には誘導溝１７が上記形態と同様に前後方向に形成されている。
この構成により、カバー１１３のネジ挿通孔１１３ｅを介してネジ（図示せず）をケース蓋体１１２にネジ締め操作することで、ネジの先端がネジ孔１６へスライドして嵌合し、その後螺入される。こうして、ネジ孔１６にカバー１３のネジ止め部が一致していなくてもネジ締め操作でき、図示しない係止爪は係止凹部に係止する。
【００２１】
尚、付属装置の収納部を２箇所設けた構成は、一般的にＭＣＣＢ（Ｍｏｌｄｅｄ  Ｃａｓｅ  Ｃｉｒｃｕｉｔ  Ｂｒｅａｋｅｒ）に適用される構成であり、１箇所のみ設けた構成はＥＬＢ（Ｅａｒｔｈ  Ｌｅａｋａｇｅ  Ｂｒｅａｋｅｒ）に適用される構成である。
【符号の説明】
【００２２】
１・・電源側端子、２・・負荷側端子、３・・操作ハンドル、６・・付属装置収納部、７・・軸受部、８・・ネジ、１０・・ケース、１０ａ・・ケース本体、１２・・ケース蓋体、１３・・カバー、１３ｂ・・蝶着軸、１３ｅ・・ネジ挿通孔、１４・・係止爪、１５・・係止凹部、１６・・ネジ孔、１７・・誘導溝。
【図１】
2015002155.tif 000003
【図２】
2015002155.tif 000004
【図３】
2015002155.tif 000005
【図４】
2015002155.tif 000006
【図５】
2015002155.tif 000007
【図６】
2015002155.tif 000008
【図７】
2015002155.tif 000009
【図８】
2015002155.tif 000010
【図９】
2015002155.tif 000011
【図１０】
2015002155.tif 000012
【図１１】
2015002155.tif 000013
【図１２】
2015002155.tif 000014
【図１３】
2015002155.tif 000015
【図１４】
2015002155.tif 000016